【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
（ａ）構造式：
【化１】
1999106521.tif 000001
（式中、Ｒ1およびＲ2は同一かまたは異なり、水素、Ｃ1〜Ｃ12アルキル、フエニル、アルキル置換フエニル、アラルキルまたはこれらが一緒になって置換もしくは非置換シクロアルキルもしくは複素環式酸素含有環を形成し、但し、Ｒ1およびＲ2の双方は双方水素であることができず、Ｒ1がメチルの場合、Ｒ2は
【化２】
1999106521.tif 000002
であることができる）を有する１，２，４−トリオキサシクロヘプタン
（ｂ）架橋促進用多官能性エチレン系不飽和化合物
を含む架橋システム。
【請求項２】
成分（ａ）および成分（ｂ）が一緒になって組成物を形成する請求項１に記載のシステム。
【請求項３】
成分（ａ）および成分（ｂ）が一緒になっていない請求項１に記載のシステム。
【請求項４】
Ｒ1およびＲ2は同一か異なり、水素、Ｃ1〜Ｃ4アルキル、フエニル、メチル置換フエニル、ベンジルまたはこれらが一緒になって３〜６個の炭素環からなる非置換シクロアルキル環を形成するかもしくは一緒になって置換複素環式、酸素含有環を形成し、Ｒ1がメチルのときＲ2は
【化３】
1999106521.tif 000003
であることができる請求項１に記載のシステム。
【請求項５】
Ｒ1およびＲ2は同一か異なり、水素、メチル、エチル、もしくはそれらが結合する炭素原子と一緒になって非置換シクロヘキシル環を形成し、Ｒ1がメチルのときＲ2は
【化４】
1999106521.tif 000004
であることができる請求項４に記載のシステム。
【請求項６】
前記成分（ｂ）の化合物が、トリアリルシアヌレート、トリエチレングリコールジメタクリレート、エチレングリコールジメタクリレート、テトラエチレングリコールジメタクリレート、ポリエチレングリコールジメタクリレート、１，３−ブチレングリコールジアクリレート、１，４−ブタンジオールジアクリレート、１，４−ブタンジオールジメタクリレート、ジエチレングリコールジアクリレート、ジエチレングリコールジメタクリレート、１，６−ヘキサンジオールジアクリレート、１，６−ヘキサンジオールジメタクリレート、ネオペンチルグリコールジアクリレート、ネオペンチルグリコールジメタクリレート、ポリエチレングリコールジアクリレート、テトラエチレングリコールジアクリレート、トリエチレングリコールジアクリレートジメタクリレート、１，３−ブチレングリコールジメタクリレート、トリプロピレングリコールジアクリレート、エトキシル化ビスフエノールＡジメタクリレート、エトキシル化ビスフエノールＡジアクリレート、１４〜１５個の炭素原子の平均鎖長を有するアクリレート末端モノマー、１４〜１５個の炭素原子の平均鎖長を有するメタクリレート末端モノマー、トリス（２−ヒドロキシエチル）イソシアヌレートトリメタクリレート、ペンタエリトリトールテトラアクリレート、トリメチロールプロパントリメタクリレート、トリメチロールプロパントリアクリレート、トリス（２−ヒドロキシエチル）イソシアヌレートトリアクリレート、ジペンタエリトリトールペンタアクリレート、ペンタエリトリトールトリアクリレートおよびエトキシル化ペンタエリトリトールテトラアクリレートからなる群から選択される請求項１に記載のシステム。
【請求項７】
成分（ｂ）がトリアリルシアヌレートである請求項６に記載のシステム。
【請求項８】
成分（ａ）が接触状態にある非架橋ポリマーの重量を基準に約０．２５重量％〜約２重量％の濃度で存在する請求項１に記載のシステム。
【請求項９】
成分（ｂ）が接触状態にある非架橋ポリマーの重量を基準に約０．２０重量％〜約１重量％の濃度で存在する請求項１に記載のシステム。
【請求項１０】
成分（ｂ）が接触状態にある非架橋ポリマーの重量を基準に約０．２０重量％〜約１重量％の濃度で存在する請求項８に記載のシステム。
【請求項１１】
成分（ａ）が約０．４０％〜約１．２５％の濃度で存在する請求項８に記載のシステム。
【請求項１２】
成分（ｂ）が約０．４０％〜約０．６０％の濃度で存在する請求項９に記載のシステム。
【請求項１３】
成分（ｂ）が約０．４０％〜約０．６０％の濃度で存在する請求項１１に記載のシステム。
【請求項１４】
熱可塑性ポリマーを、（ａ）構造式：
【化５】
1999106521.tif 000005
（式中、Ｒ1およびＲ2は同一かまたは異なり、水素、Ｃ1〜Ｃ12アルキル、フエニル、アルキル置換フエニル、アラルキルまたはこれらが一緒になって置換もしくは非置換シクロアルキルもしくは複素環式酸素含有環を形成し、但し、Ｒ1およびＲ2の双方は双方水素であることができず、Ｒ1がメチルの場合、Ｒ2は
【化６】
1999106521.tif 000006
であることができる）を有する１，２，４−トリオキサシクロヘプタンおよび
（ｂ）架橋促進用多官能性エチレン系不飽和化合物
を含む架橋システムに接触させることを含むポリマーの架橋方法。
【請求項１５】
前記ポリマーがエチレンホモポリマーまたはコポリマーである請求項１４に記載の方法。
【請求項１６】
前記ポリマーが高密度ポリエチレンである請求項１５に記載の方法。
【請求項１７】
前記ポリマーがエチレン−プロピレンゴムである請求項１５に記載の方法。
【請求項１８】
前記ポリマーが低密度ポリエチレンである請求項１５に記載の方法。
【請求項１９】
前記熱可塑性ポリマーが前記架橋システムと約１５０℃〜約３５０℃の範囲の温度で接触する請求項１４に記載の方法。
【請求項２０】
前記架橋システムの成分（ａ）および（ｂ）が組成物として熱可塑性ポリマーと接触する請求項１４に記載の方法。
【請求項２１】
前記架橋システムの成分（ａ）および（ｂ）が熱可塑性ポリマーと別々に接触する請求項１４に記載の方法。
【請求項２２】
Ｒ1およびＲ2は同一か異なり、水素、Ｃ1〜Ｃ4アルキル、フエニル、メチル置換フエニル、ベンジルまたはこれらが一緒になって３〜６個の炭素からなる非置換シクロアルキル環を形成するかもしくは一緒になって置換複素環式、酸素含有環を形成し、Ｒ1がメチルのときＲ2は
【化７】
1999106521.tif 000007
であることができる請求項１４に記載の方法。
【請求項２３】
前記成分（ｂ）の化合物が、トリアリルシアヌレート、トリエチレングリコールジメタクリレート、エチレングリコールジメタクリレート、テトラエチレングリコールジメタクリレート、ポリエチレングリコールジメタクリレート、１，３−ブチレングリコールジアクリレート、１，４−ブタンジオールジアクリレート、１，４−ブタンジオールジメタクリレート、ジエチレングリコールジアクリレート、ジエチレングリコールジメタクリレート、１，６−ヘキサンジオールジアクリレート、１，６−ヘキサンジオールジメタクリレート、ネオペンチルグリコールジアクリレート、ネオペンチルグリコールジメタクリレート、ポリエチレングリコールジアクリレート、テトラエチレングリコールジアクリレート、トリエチレングリコールジアクリレートジメタクリレート、１，３−ブチレングリコールジメタクリレート、トリプロピレングリコールジアクリレート、エトキシル化ビスフエノールＡジメタクリレート、エトキシル化ビスフエノールＡジアクリレート、１４〜１５個の炭素原子の平均鎖長を有するアクリレート末端モノマー、１４〜１５個の炭素原子の平均鎖長を有するメタクリレート末端モノマー、トリス（２−ヒドロキシエチル）イソシアヌレートトリメタクリレート、ペンタエリトリトールテトラアクリレート、トリメチロールプロパントリメタクリレート、トリメチロールプロパントリアクリレート、トリス（２−ヒドロキシエチル）イソシアヌレートトリアクリレート、ジペンタエリトリトールペンタアクリレート、ペンタエリトリトールトリアクリレートおよびエトキシル化ペンタエリトリトールテトラアクリレートからなる群から選択される請求項１４に記載の方法。
【請求項２４】
成分（ｂ）がトリアリルシアヌレートである請求項２３に記載の方法。